(57)【要約】【課題】交換作業の途中で、安心して手を交換ユニットから外し、ゆっくりと手の掴み位置を持ち替えることができて、交換ユニットの交換作業を容易なものにすることができるようにした遊技機を提供する。【解決手段】前記本体キャビネット（１）は、その正面開口部（１１）から前記交換ユニット（２）の収納位置までの途中の位置に、前記交換ユニット（２）の奥側上部を係止する係止部（５１）を備え、前記交換ユニット（２）を前記係止部（５１）に係止することにより、前記交換ユニット（２）を前記本体キャビネット（１）の正面開口部（１１）から手前側に一部引き出した途中の状態で一時的に保持可能なことを特徴とする。【選択図】    図１
2004254908.tif 000002
【特許請求の範囲】
【請求項１】
正面側に開口する正面開口部を有する本体キャビネットと、
前記本体キャビネットの正面開口部を開閉自在に塞ぐ前扉と、
複数の図柄が表示された回転リール及びこの回転リールを回転表示させるための駆動手段を有するリールユニットと、
前記回転リールの停止位置を制御するための制御装置とを備えた遊技機であって、
前記リールユニット及び前記制御装置は、これらを装着するための枠を介して、前記交換ユニットに組み込まれ、
前記交換ユニットは、前記本体キャビネットに対して交換可能に形成され、
前記本体キャビネットは、その正面開口部から前記交換ユニットの収納位置までの途中の位置に、前記交換ユニットの奥側上部を係止する係止部を備え、
前記交換ユニットを前記係止部に係止することにより、前記交換ユニットを前記本体キャビネットの正面開口部から手前側に一部引き出した途中の状態で一時的に保持可能なことを特徴とする遊技機。
【請求項２】
前記交換ユニットは、前記交換ユニットと前記本体キャビネットとの間の電気的接続をするために、前記本体キャビネットに予め一端が接続された接続コードの他端を接続する接続部を上部奥側に設けたことを特徴とする請求項１記載の遊技機。
【請求項３】
前記係止部は、前記交換ユニットが手前下方に傾いたときに前記交換ユニットの奥側上部が係止するようにしたことを特徴とする請求項１又は請求項２記載の遊技機。
【請求項４】
前記係止部は、前記本体キャビネットの天板下面から下方に向かって突出して、前記交換ユニットの奥側上端が手前側に向かって移動するのを阻止する上部係止片を備え、
前記交換ユニットは、その奥側上部から上方に向かって突出して、前記上部係止片に係止可能な下部係止片を備えたことを特徴とする請求項１乃至３のいずれか１項に記載の遊技機。
【請求項５】
前記接続部を、前記交換ユニットの前面側に向かって臨むように配置したことを特徴とする請求項２乃至４のいずれか１項に記載の遊技機。
【請求項６】
前記接続部を、前記交換ユニットの上面側に向かって臨むように配置したことを特徴とする請求項２乃至４のいずれか１項に記載の遊技機。
【請求項７】
前記前扉は、
前記本体キャビネットの正面開口部の上部を開閉自在に塞ぐ上扉と、
前記本体キャビネットの正面開口部の下部を開閉自在に塞ぐ下扉とを備え、
前記交換ユニットの枠の前面には、前記上扉を装着し、
前記上扉及び前記交換ユニットにより扉一体型交換ユニットを形成し、
前記扉一体型交換ユニットは、前記本体キャビネットに対して交換可能に形成されていることを特徴とする請求項１乃至６のいずれか１項に記載の遊技機。
【発明の詳細な説明】
【０００１】
【発明の属する技術分野】
この発明は、交換ユニットや扉一体型交換ユニットの交換作業が容易な遊技機に関するものである。
【０００２】
【従来の技術】
従来、パチンコ機や、スロットマシン等の遊技機を設置している遊技ホールでは、顧客のニーズや他店との競合で優位に立つために、遊技機の製造開発メーカーが開発した斬新なゲーム性をもつ、パチンコ機や、スロットマシンに新台入れ替えと称して、数か月に一度、あるいは、それよりも短いサイクルで遊技内容が異なる遊技機に交換するのが通例となっており、最近では、このサイクルが更に短くなる傾向にある。
【０００３】
そして、従来の遊技機においては、かかる新台入れ替えで遊技内容を変更する際には、遊技機全体を略まるごと交換しなければならなかった。しかし、遊技ホールにおいて、遊技内容を変更するための新台入れ替えの台交換の際、遊技内容の変更に無関係な部品も多数、同時に交換されることとなり、交換に要する費用がかかるだけでなく、資源の無駄になっていた。
【０００４】
そこで、近年、遊技内容に直接、影響するリールユニット及びこのリールユニットの回転リールの回転駆動等を制御する主基板（主制御装置）を、前扉に固定して、前扉ごと一体に本体キャビネットから着脱自在に形成して、交換可能とする発明がなされている（例えば、特許文献１、図１及び図３参照。）。
さらに、リールユニット及び主基板（主制御装置）を固定した前扉に、ホッパー装置（メダル払出装置）や電源装置を固定して、前扉ごと一体に本体キャビネットから着脱自在に形成して交換可能にする発明がなされている（例えば、特許文献１、図４参照。）。
【０００５】
さらに、近年では、遊技機を、遊技性に関わる部分と、遊技性に直接関わらない部分とに分け、このうち遊技性に関わる部分を交換することにより、全体を略まるごと交換することなく、新しい遊技機で遊技しているかのような印象を与えることができる分離型の遊技機の開発が進められている。
具体的には、スロットマシンの交換に際して、真に交換が必要な部材である遊技担当装置を特定し、かつ交換の効率化をも図った発明がなされている（例えば、特許文献２。）。
【０００６】
また、枠体等の構造用部材に前記リールユニット及び主基板（主制御装置）を設置した交換ユニットを、本体キャビネット内部に着脱自在に形成して、新旧の交換作業を容易にしたスロットマシンに関する技術がある（例えば、特許文献３。）。
また、従来より、遊技機において、遊技機内部の部品間の電気的やり取りを行うための電気的な接続は、制御信号線や、電力線等の複数の配線の束からなる、いわゆるハーネスと呼ばれる電気的接続コード等を有する接続手段により、行われている（例えば、特許文献４、図３及び図６参照。）。
【０００７】
そして、上述した分離型の遊技機においては、遊技ホールの新台入れ替えの際に、部品交換を行わない固定部分と、部品交換を行う交換部分とに分けて、かかる交換部分を入れ替えることで、遊技機の機種の変更を行う。その場合、固定部分に設けられた部品と、交換部分の部品との間の電気的接続は、配線の束からなるハーネスと呼ばれる電気的接続コード等の接続手段により、電気的な回路を形成し、遊技機のシステム全体を構成していた。
【０００８】
そして、従来のいわゆる、分離型の遊技機では、全国各地の遊技ホールで行われる新台入れ替えにおいて、交換ユニットの交換作業が行われる。すなわち、今まで使用していた古い交換ユニットを本体キャビネットから取り外す作業と、今回、新たに導入する新しい交換ユニットを本体キャビネットへ取り付ける作業とが行われる。その際、古い、或いは新しい交換ユニットの部品と、本体キャビネット側の部品との間の電気的接続は、ハーネス等の電気的接続コードにより、本体キャビネットの上部の奥側で行われる。これは、遊技者の座る前面側から、遊技機内部にワイヤや、針金や、ピン等を差し込んで操作されないように、また、前面側からの磁力や、振動等に影響されないように、いわゆるゴト防止の為、前面側から、できるだけ離すために、本体キャビネット上部の奥側に配置したものである。
【０００９】
【特許文献１】
特開平１０−５２５２５号公報（第１図、第３図、第４図）
【特許文献２】
特開２００３−２４５１３号公報
【特許文献３】
特開２００３−４７６８６号公報
【特許文献４】
特開２００２−２２４２７４号公報（第３図、第６図）
【００１０】
【発明が解決しようとする課題】
しかし、上述したような交換ユニットの取り付け作業や、取り外し作業は、交換ユニットの手前側や側面側の枠等の一部を握って、本体キャビネットから、ある程度、引き出して、その後、交換ユニットの枠等の上部等を持ち直して、取り外していた。また、新しい交換ユニットを本体キャビネットに取り付ける際には、上述した手順の逆を行うことにより、新しい交換ユニットの取り付け作業を行っていた。これらの交換作業において、交換ユニットの重量が手に加わらずに手前側に少し引き出す作業（或いは押し込む作業）と、交換ユニットの重量が手に加わって取り外して移動する作業（或いは移動して取り付ける作業）とは、力を加える方向や、荷重が加わる方向が異なる作業であるために、作業途中で、交換ユニットを掴んでいる手を一旦外して、手の掴む位置を変える必要があった。しかし、作業途中、手の掴む位置を変えるために交換ユニットを本体キャビネットからある程度、途中まで引き出した状態で、交換ユニットを掴んでいる手を離すことは、交換ユニットが不安定な状態になり、交換ユニットが手前側から落下する可能性がある。したがって、常に交換ユニットを手で支持しておかなければならず、交換ユニットの交換作業が大変であるという第一の問題点があった。
【００１１】
また、かかる交換ユニットの交換作業におけるハーネスの着脱作業は、かかる接続口等が、いわゆるゴト防止対策の観点から本体キャビネットの上部奥側に配置してある。このため、その本体キャビネット上部の狭い空間の奥に手を差し込んでハーネスを接続口に取り付ける作業や、取り外す作業をしなければならず、かかるハーネスの結線作業が大変、面倒であるといった第二の問題点があった。
【００１２】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する第一の問題点に鑑みてなされたものであり、その目的とするところは、交換作業の途中で、安心して手を交換ユニットから外し、ゆっくりと手の掴み位置を持ち替えることができて、交換ユニットの交換作業を容易なものにすることができるようにした遊技機を提供しようとするものである。
【００１３】
（請求項２）
請求項２記載の発明は、上記した請求項１記載の発明の目的に加え、次の点を目的とする。
すなわち、請求項２記載の発明は、上記した従来の技術の有する第二の問題点に鑑みてなされたものであり、その目的とするところは、交換ユニットの交換作業において、電気的接続コードの結線作業を容易なものにすることができるようにした遊技機を提供しようとするものである。
【００１４】
（請求項３）
請求項３記載の発明は、上記した請求項１又は請求項２記載の発明の目的に加え、次の点を目的とする。
すなわち、請求項３記載の発明は、交換ユニットを傾かせることにより、交換ユニットと係止部との間を係止状態にすることができるようにした遊技機を提供しようとするものである。
【００１５】
（請求項４）
請求項４記載の発明は、上記した請求項１乃至３のいずれか１項に記載の発明の目的に加え、次の点を目的とする。
すなわち、請求項４記載の発明は、上部係止片と下部係止片とが係止することにより、交換ユニットの奥側上端が手前側に向かって移動するのを阻止することができて、両者が係止状態となるようにした遊技機を提供しようとするものである。
【００１６】
（請求項５）
請求項５記載の発明は、上記した請求項２乃至４のいずれか１項に記載の発明の目的に加え、次の点を目的とする。
すなわち、請求項５記載の発明は、接続コードの他端を前面側から差し込むことができて、結線作業を容易なものにすることができるようにした遊技機を提供しようとするものである。
【００１７】
（請求項６）
請求項６記載の発明は、上記した請求項２乃至４のいずれか１項に記載の発明の目的に加え、次の点を目的とする。
すなわち、請求項６記載の発明は、接続コードの他端を上面側から差し込むことができて、結線作業を容易なものにすることができるようにした遊技機を提供しようとするものである。
【００１８】
（請求項７）
請求項７記載の発明は、上記した請求項１乃至６のいずれか１項に記載の発明の目的に加え、次の点を目的とする。
すなわち、請求項７記載の発明は、扉一体型交換ユニットの交換作業を容易なものにすることができるようにした遊技機を提供しようとするものである。
【００１９】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００２０】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００２１】
すなわち、正面側に開口する正面開口部（１１）を有する本体キャビネット（１）と、前記本体キャビネット（１）の正面開口部（１１）を開閉自在に塞ぐ前扉（３）と、複数の図柄が表示された回転リール（２３）及びこの回転リール（２３）を回転表示させるための駆動手段を有するリールユニット（２０）と、前記回転リール（２３）の停止位置を制御するための制御装置（例えば、主制御装置（２５））とを備えた遊技機（Ｓ）であって、前記リールユニット（２０）及び前記制御装置（例えば、主制御装置（２５））は、これらを装着するための枠（２１）を介して、前記交換ユニット（２）に組み込まれ、前記交換ユニット（２）は、前記本体キャビネット（１）に対して交換可能に形成され、前記本体キャビネット（１）は、その正面開口部（１１）から前記交換ユニット（２）の収納位置までの途中の位置に、前記交換ユニット（２）の奥側上部を係止する係止部（５１）を備え、前記交換ユニット（２）を前記係止部（５１）に係止することにより、前記交換ユニット（２）を前記本体キャビネット（１）の正面開口部（１１）から手前側に一部引き出した途中の状態で一時的に保持可能なことを特徴とする。
【００２２】
また、ここで、「回転リール（４０）」とあるのは、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置によって遊技者に向かって表示するものも含まれる。また、ここで、「遊技機（１０）」とは、具体的には、例えば、スロットマシンであるが、上述した回転リール（４０）を有するパチンコ機や、その他の遊技機を含むものである。
【００２３】
また、ここで、「交換ユニット（２）は、前記本体キャビネット（１）に対して交換可能に形成され」とは、具体的には、交換ユニット（２）の枠（２１）の左右両端に鉤状に形成されたフックと、本体キャビネット（１）の左右内面に固定されて、前記フック（３４）を引っかけて固定可能なクリップ（３５）とからなる着脱が容易な固定装置（１０）を備えていることにより、交換ユニット（２）を本体キャビネット（１）から容易に交換することができるようなものを含むものである。なお、ここで、枠（２１）は、全体形状が枠状からなり、制御装置（例えば、主制御装置（２５））や、リールユニット（２２）を固定可能に形成されているものである。また、この交換ユニット（２）は、リールユニット（２０）の回転リール（２３）を、その周囲に配置した図柄が異なるものに変更することにより、遊技内容を変更するようなものや、制御装置（例えば、主制御装置（２５））の抽選確率を変更することにより、遊技内容を変更するもの等の際に取り外される。
【００２４】
また、ここで、「これらを装着するための枠（２１）」とは、リールユニット（２０）及び制御装置（例えば、主制御装置（２５））を本体キャビネット（１）の内部に固定するため、枠（２１）の内部にリールユニット（２０）及び制御装置（例えば、主制御装置（２５））を固定して一体のものにすることができるような枠状の構造体であれば良いものであって、具体的には、例えば、図８に示すような略直方体状の枠状構造体を含むものである。
【００２５】
また、ここで、「前記本体キャビネット（１）は、その正面開口部（１１）から前記交換ユニット（２）の収納位置までの途中の位置に、前記交換ユニット（２）の奥側上部を係止する係止部（５１）を備え」の「その正面開口部（１１）から前記交換ユニット（２）の収納位置までの途中の位置に」は、本体キャビネット（１）の正面開口部（１１）から交換ユニット（２）の収納位置までの途中の位置に係止部（５１）が形成されていることを意味する。
【００２６】
また、ここで、「交換ユニット（２）の奥側上部を係止する」の「奥側上部」とは、交換ユニット（２）の奥側（背面側）の上部という狭義の範囲だけではなく、交換ユニット（２）の中央部付近の上部をも含む広義の意である。つまり、交換ユニット（２）を本体キャビネット（１）の正面開口部（１１）から手前側に一部引き出した途中の状態で交換ユニット（２）が係止部（５１）に係止して一時的に保持可能となる位置であれば、その位置が「交換ユニット（２）の奥側上部」を係止する位置となるものである。別言すれば、寸法的には係止される位置が交換ユニット（２）の中央部より若干手前側であっても、その位置で係止部（５１）と係止することで、交換ユニット（２）が一時的に保持されるのであれば、その位置は本発明における交換ユニット（２）の奥側上部に含まれることとなる。
【００２７】
また、ここで、「一時的に保持可能」とは、特に交換ユニット（２）を交換作業者が手で支持することなく、交換作業の途中で交換ユニット（２）が自重により安定した状態を維持することができることを意味するものである。また、「一時的に」とは、交換作業の途中で、一時的に安定した仮止めをすることができることを意味するものである。
【００２８】
（作用）
本発明は、交換ユニットの交換作業において、本体キャビネット（１）の係止部（５１）が、正面開口部（１１）から交換ユニット（２）の収納位置までの途中の位置で、交換ユニット（２）の奥側上部を係止する。これにより、交換ユニット（２）を本体キャビネット（１）の正面開口部（１１）から手前側に一部引き出した途中の状態で一時的に保持することができる。したがって、交換ユニット（２）は、かかる途中の位置において、安定して支持され、正面開口部（１１）の手前側に向かって倒れ落ちることがない。これにより、交換作業者は、作業の途中で、安心して手を交換ユニット（２）から外し、ゆっくりと手の掴み位置を持ち替えることができる。したがって、交換ユニット（２）の交換作業を容易なものにすることができる。
【００２９】
（請求項２）
請求項２記載の発明は、上記した請求項１記載の発明の特徴点に加え、次の点を特徴とする。
すなわち、前記交換ユニット（２）は、前記交換ユニット（２）と前記本体キャビネット（１）との間の電気的接続をするために、前記本体キャビネット（１）に予め一端が接続された接続コード（８３）の他端を接続する接続部（２７）を上部奥側に設けたことを特徴とする。
【００３０】
なお、ここで、「接続コード（８３）」は、交換ユニット（２）と本体キャビネット（１）との間の電気的接続をするための電気的な接続コード（８３）であって、この接続コード（８３）は、その一端（具体的には、本体側接続端子（８４））が予め本体側接続部（８２）に接続されているものである。なお、この接続コード（８３）は、交換ユニット（２）のリールユニット（２０）や制御装置（例えば、主制御装置（２５））等の部品と、本体キャビネット（１）側に配置する払い出し装置（５）等の部品との間の電気的接続をするための、いわゆるハーネスとも呼ばれる配線の束状のものを意味する。
【００３１】
（作用）
本発明は、接続部（２７）が交換ユニット（２）の上部奥側に設けてあるが、交換ユニット（２）を係止部（５１）に係止させて、手前側に一部引き出した状態で保持することにより、交換ユニット（２）の上部奥側の接続部（２７）への接続作業を、交換作業者の手許で確実に且つ簡単に行うことができる。これにより、交換ユニット（２）の交換作業において、いわゆるハーネスと呼ばれる電気的接続コードの結線作業を容易なものにすることができる。
【００３２】
一方、かかる電気的接続作業が終了した後は、交換ユニット（２）を本体キャビネット（１）の奥側の本来の収納位置に配置することができる。このため、交換ユニット（２）の上部奥側に設けた接続部（２７）を、本体キャビネット（１）の奥側に位置することができる。これにより、接続部（２７）を正面開口部（１１）から後ろ側に離して配置することができ、前面側からのワイヤ等の異物混入によるゴト行為や、前面側からの強力な電磁波による、いわゆる電波ゴト等の影響を回避することができる。
【００３３】
（請求項３）
請求項３記載の発明は、上記した請求項１又は請求項２記載の発明の特徴点に加え、次の点を特徴とする。
すなわち、前記係止部（５１）は、前記交換ユニット（２）が手前下方に傾いたときに前記交換ユニット（２）の奥側上部が係止するようにしたことを特徴とする。
【００３４】
なお、ここで、「前記係止部（５１）は、前記交換ユニット（２）が手前下方に傾いたときに前記交換ユニット（２）の奥側上部が係止するようにした」とは、具体的には、図１に示すように、交換ユニット（２）が本体キャビネット（１）の正面開口部（１１）から手前側の下方に向かって傾いたときに、中板（１２）の前端縁を支点として、交換ユニット（２）の奥側上部がその反作用として持ち上がることにより、係止部（５１）と係止するような位置関係にあることを意味するものである。したがって、図２に示すように、交換ユニット（２）が本体キャビネット（１）の正面開口部（１１）から手前側に向かって下方に傾いていないときには、係止部（５１）と、交換ユニット（２）の奥側上部とは、互いに係止しないような位置関係となるものである。
【００３５】
（作用）
本発明は、交換ユニット（２）の手前側が手前下方に傾いたときに、交換ユニット（２）の奥側上部は、上方に向かって傾く。そして、交換ユニット（２）の奥側上部が本体キャビネット（１）の係止部（５１）に係止する。
一方、交換ユニット（２）が手前下方に傾いていないときは、その奥側上部も上方に向かって傾かず、本体キャビネット（１）の係止部（５１）に係止しない。
【００３６】
これにより、交換ユニット（２）の奥側上部と、本体キャビネット（１）の係止部（５１）とを係止させたい場合には、交換ユニット（２）を手前下方に傾ければ良く、そして、両者を係止させたくない場合には、交換ユニット（２）を手前下方に傾けずに水平状態を維持すれば良い。これにより、交換ユニット（２）を傾かせることにより、交換ユニット（２）と係止部（５１）との間を係止状態にすることができて、交換ユニット（２）の傾きの有無により、交換ユニット（２）と係止部（５１）との係止の有無をコントロールすることができる。
【００３７】
（請求項４）
請求項４記載の発明は、上記した請求項１乃至３のいずれか１項に記載の発明の特徴点に加え、次の点を特徴とする。
すなわち、前記係止部（５１）は、前記本体キャビネット（１）の天板（１７）下面から下方に向かって突出して、前記交換ユニット（２）の奥側上端が手前側に向かって移動するのを阻止する上部係止片（５２）を備え、前記交換ユニット（２）は、その奥側上部から上方に向かって突出して、前記上部係止片（５２）に係止可能な下部係止片（５３）を備えたことを特徴とする。
【００３８】
なお、ここで、「前記本体キャビネット（１）の天板（１７）下面から下方に向かって突出して、前記交換ユニット（２）の奥側上端が手前側に向かって移動するのを阻止する上部係止片（５２）」とあるのは、上部係止片（５２）が、天板（１７）下面から下方に向かって突出していることにより、交換ユニット（２）の奥側上部から上方に向かって突出して、上部係止片（５２）に係止可能な下部係止片（５３）と、互いに係止して両者は係止状態となることを意味する。これにより、上部係止片（５２）が、交換ユニット（２）の奥側上端の下部係止片（５３）を手前側に向かって移動するのを阻止することができるものである。
【００３９】
（作用）
本発明は、本体キャビネット（１）の係止部（５１）の上部係止片（５２）は、本体キャビネット（１）の天板（１７）下面から下方に向かって突出している。そして、交換ユニット（２）の下部係止片（５３）は、交換ユニット（２）の奥側上部から上方に向かって突出している。そして、上部係止片（５２）と下部係止片（５３）とが係止することにより、両者が係止状態となる。これにより、交換ユニット（２）の奥側上端が手前側に向かって移動するのを阻止することができる。したがって、本体キャビネット（１）の係止部（５１）に、交換ユニット（２）の奥側上部を係止することができる。
【００４０】
（請求項５）
請求項５記載の発明は、上記した請求項２乃至４のいずれか１項に記載の発明の特徴点に加え、次の点を特徴とする。
すなわち、前記接続部（２７）を、前記交換ユニット（２）の前面側に向かって臨むように配置したことを特徴とする。
【００４１】
なお、ここで、「接続部（２７）を、前記交換ユニット（２）の前面側に向かって臨むように配置した」とは、接続部（２７）のいわゆる接続口である端子の差し込み口が、交換ユニット（２）の前面側に向かって配置されていることを意味する。
（作用）
本発明は、接続部（２７）を、交換ユニット（２）の前面側に向かって臨むように配置している。このため、交換作業者は、交換ユニット（２）を手前側に一部引き出した途中の状態で、接続コード（８３）の他端を前面側から差し込むことができる。これにより、交換作業における接続コード（８３）の結線作業を容易なものにすることができる。
【００４２】
（請求項６）
請求項６記載の発明は、上記した請求項２乃至４のいずれか１項に記載の発明の特徴点に加え、次の点を特徴とする。
すなわち、前記接続部（２７）を、前記交換ユニット（２）の上面側に向かって臨むように配置したことを特徴とする。
【００４３】
なお、ここで、「接続部（２７）を、前記交換ユニット（２）の上面側に向かって臨むように配置した」とは、接続部（２７）のいわゆる接続口である端子の差し込み口が、交換ユニット（２）の上面側に向かって配置されていることを意味する。
（作用）
本発明は、接続部（２７）を、交換ユニット（２）の上面側に向かって臨むように配置している。このため、交換作業者は、交換ユニット（２）を手前側に一部引き出した途中の状態で、接続コード（８３）の他端を上面側から差し込むことができる。これにより、交換作業における接続コード（８３）の結線作業を容易なものにすることができる。
【００４４】
（請求項７）
請求項７記載の発明は、上記した請求項１乃至６のいずれか１項に記載の発明の特徴点に加え、次の点を特徴とする。
すなわち、前記前扉（３）は、前記本体キャビネット（１）の正面開口部（１１）の上部を開閉自在に塞ぐ上扉（３０）と、前記本体キャビネット（１）の正面開口部（１１）の下部を開閉自在に塞ぐ下扉（４０）とを備え、前記交換ユニット（２）の枠（２１）の前面には、前記上扉（３０）を装着し、前記上扉（３０）及び前記交換ユニット（２）により扉一体型交換ユニット（８）を形成し、前記扉一体型交換ユニット（８）は、前記本体キャビネット（１）に対して交換可能に形成されていることを特徴とする。
【００４５】
（作用）
本発明は、交換ユニット（２）ではなく、交換ユニット（２）に上扉（３０）を装着した扉一体型交換ユニット（８）を、本体キャビネット（１）に対して交換することができる。したがって、扉一体型交換ユニット（８）の交換作業において、本体キャビネット（１）の係止部（５１）が、正面開口部（１１）から扉一体型交換ユニット（８）の収納位置までの途中の位置で、扉一体型交換ユニット（８）の奥側上部を係止する。これにより、扉一体型交換ユニット（８）を本体キャビネット（１）の正面開口部（１１）から手前側に一部引き出した途中の状態で一時的に保持することができる。したがって、扉一体型交換ユニット（８）は、かかる途中の位置において、安定して支持され、正面開口部（１１）の手前側に向かって倒れ落ちることがない。これにより、交換作業者は、扉一体型交換ユニット（８）の交換作業の途中で、安心して手を扉一体型交換ユニット（８）から外し、ゆっくりと手の掴み位置を持ち替えることができる。したがって、扉一体型交換ユニット（８）の交換作業を容易なものにすることができる。
【００４６】
【発明の実施の形態】
（第一の実施の形態）
（図面の説明）
図１乃至図９は、本発明の第一の実施の形態を示すものである。
図１は交換ユニットを本体キャビネットの正面開口部から手前側に一部引き出した途中の状態で一時的に保持している状態の外観側面図、図２は交換作業者が取っ手を手で掴んでいる状態の外観側面図、図３及び図４は遊技機の分解斜視図、図５は係止部の上部係止片に交換ユニットの下部係止片が係止している状態の外観側面図、図６は係止部の上部係止片に交換ユニットの下部係止片が係止している状態の外観斜視図、図７は遊技機の外観側面図、図８は交換ユニットの外観斜視図、図９は取っ手の外観斜視図をそれぞれ示す。
【００４７】
本実施の形態に係る遊技機Ｓは、具体的には、スロットマシンであって、図３及び図４に示すように、大きく分けて、正面側に開口する正面開口部１１を有する本体キャビネット１、本体キャビネット１内部に着脱自在に設けられる交換ユニット２、本体キャビネット１の正面開口部１１を開閉可能に塞ぐための前扉３とから構成されている。そして、本体キャビネット１の正面開口部１１は、本体キャビネット１の上部に開口する開口上部１３と、本体キャビネット１の下部に開口する開口下部１４とを備えている。そして、前記前扉３は、本体キャビネット１の開口上部１３を開閉可能に塞ぐための上扉３０と、本体キャビネット１の開口下部１４を開閉可能に塞ぐための下扉４０とを備えている。そして、交換ユニット２の手前側には、上扉３０が取り付けられてあり、この交換ユニット２及び上扉３０により、扉一体型交換ユニット８を形成している。すなわち、通常のいわゆる新台入れ替えの際には、交換ユニット２及び上扉３０が一体となった扉一体型交換ユニット８毎に入れ替えることができるものである。もちろん、新台入れ替えの際、上扉３０は、そのままで、交換ユニット２だけを交換することもできる。
【００４８】
（本体キャビネット１）
上記本体キャビネット１は、全体形状が略箱状であって、図３に示すように、底板１５、側板１６、天板１７及び裏板１８からなる正面側に開口する筺体である。そして、この本体キャビネット１の高さ方向略中央部には、二つの側板１６の間に水平方向に中板１２が渡してある。そして、この中板１２は、扉一体型交換ユニット８を本体キャビネット１の奥側内部に案内するためのガイド８０を左右側部に備えている。また、中板１２は、金属板からなるものである。そして、中板１２の前端縁には上方に向かって９０度折り曲げられた立ち上がり片９４が形成されている。そして、この中板１２の下面には電源装置４が設けられ、底板１５にはホッパーユニットとも呼ばれる払い出し装置５が固定されている。
【００４９】
ここで、電源装置４は、中板１２の下面に、取り付け板等を介して取り付けられており、遊技店側が種々の設定を行うためのスイッチ等の操作部を有している。上記電源装置４及び払い出し装置５は、交換ユニット２の交換に際し、必ずしも交換する必要のないものであり、交換時には設置されたままにしておけるようになっているものである。
【００５０】
また、側板１６の正面左側の下部には、前記下扉４０を係合させ、回転自在に支持するための本体係合部６２が、上下方向に間隔をおいて二つ設けられている。
さらに、本体係合部６２の対向側の側板１６には、下扉４０を閉めた際、下扉４０をロックするための突出片６９（図４）が、上下方向に間隔をおいて二つ設けられている。
【００５１】
上記本体キャビネット１の裏板１８の上部には、扉一体型交換ユニット８内部の部品と、本体キャビネット１内部の部品との間で電気的接続をするための接続コード８３の一端を差し込み可能な本体側接続部８２が形成されている。前記接続コード８３は、扉一体型交換ユニット８内部の部品と、本体キャビネット１内部の部品との間で電気的接続をするためのいわゆるハーネスとも呼ばれるものである。そして、この接続コード８３は、この接続コード８３本体の一端側に本体キャビネット１の本体側接続部８２へ接続するための本体側接続端子８４を有している。そして、この接続コード８３は、接続コード８３本体の他端側、すなわち本体側接続端子８４が形成されていない方の端部に、交換ユニット２側の接続部２７へ接続するための交換側接続端子８５を有している。そして、交換ユニット２の交換作業において、かかる接続コード８３の本体側接続端子８４は、本体側接続部８２へ接続した状態のまま維持される。そして、接続コード８３の交換側接続端子８５は、古い交換ユニット２の接続部２７から取り外され、新たな交換ユニット２の接続部２７へ取り付けられるものである。
【００５２】
なお、特に図示していないが、この本体側接続部８２から本体キャビネット１内部の電源装置４や、払い出し装置５等の部品への電気的な接続をするためのいわゆるハーネスが形成されている。これにより、主制御装置２５からの制御信号を、払い出し装置５や電源装置４へ送信することができ、また、基板ユニット２４からの供給電源を、交換ユニット２内部の主制御装置２５やリールユニット２０へ伝達することができる。
【００５３】
上記本体キャビネット１の天板１７の下面の手前側には、交換ユニット２の奥側上部を係止するための係止部５１を備えている。
（係止部５１）
上記係止部５１は、本体キャビネット１の正面開口部１１から交換ユニット２の収納位置までの途中の位置に形成されて、交換ユニット２の奥側上部を係止するためのものである。これは、交換ユニット２を係止部５１に係止することにより、交換ユニット２を本体キャビネット１の正面開口部１１から手前側に一部引き出した途中の状態で一時的に保持可能なものである。そして、係止部５１は、本体キャビネット１の天板１７の下面の手前側付近から下方に向かって突出して、交換ユニット２の奥側上端が手前側に向かって移動するのを阻止する上部係止片５２を備えている。更に、具体的には、上部係止片５２は、その縦断面形状が略逆コ字状であって、本体キャビネット１の奥側に向かって開口するように配置されている。そして、この上部係止片５２は、その略逆コ字状の上部を、天板１７の下面にねじ等の締結部材（図示せず）で固定することにより、本体キャビネット１の天板１７に固定されているものである。そして、交換ユニット２の下部係止片５３は、交換ユニット２の奥側上部から上方に向かって突出している。この上部係止片５２の開口内部に、交換ユニット２の上部の上部係止片５２の先端が入り込むことにより、上部係止片５２と下部係止片５３とが互いに当接し、交換ユニット２の奥側上端が手前側に向かって移動するのを阻止する。これにより、両者は係止状態となるものである。
【００５４】
さらに、具体的には、前記係止部５１は、交換ユニット２を手前下方に傾けたときに交換ユニット２の奥側上部の下部係止片５３が係止するように形成されている。
したがって、交換ユニット２の一部を手前側に引いて、交換ユニット２を手前下方に傾けたときに、中板１２の手前側端部を支点として、交換ユニット２の奥側上部がその反作用として、上方に向かって傾く。そして、交換ユニット２の奥側上部の下部係止片５３が上方に向かって移動して、本体キャビネット１の係止部５１の上部係止片５２に係止するように配置されている。
【００５５】
一方、交換ユニット２が手前下方に傾いていないときは、中板１２の手前側前端を支点として、交換ユニット２の奥側上部も上方に向かって傾かない。したがって、交換ユニット２の奥側上部の下部係止片５３も上方に向かって移動せず、下部係止片５３は本体キャビネット１の係止部５１の上部係止片５２に係止しない。
これにより、交換ユニット２の奥側上部の下部係止片５３と、本体キャビネット１の係止部５１の上部係止片５２とを係止させたい場合には、交換ユニット２を手前下方に傾けて前後方向に移動させれば良く、そして、両者を係止させたくない場合には、交換ユニット２を手前下方に傾けずに水平状態を維持すれば良い。これにより、交換ユニット２の傾きの有無により、交換ユニット２と係止部５１との係止の有無をコントロールすることができる。
【００５６】
（ガイド８０）
上記ガイド８０は、扉一体型交換ユニット８を本体キャビネット１の奥側内部に案内するためのものである。このガイド８０は、図３に示すように中板１２の左右に位置して、前後方向に形成された帯板レール状のものであって、交換ユニット２の下部に配置された移動体８１としてローラーが回転移動可能なものである。
【００５７】
（扉一体型交換ユニット８）
上記扉一体型交換ユニット８は、遊技ホールにおける、いわゆる新台入れ替えの際、遊技内容を変更するために本体キャビネット１に対して交換可能に形成されているものである。この扉一体型交換ユニット８は、交換ユニット２と、この交換ユニット２の手前側に開閉可能に取り付けられた上扉３０とから形成されているものである。この交換ユニット２及び上扉３０は、両者が一体となった状態で、本体キャビネット１から取り外し、また、取り付けることができるように形成されている。なお、交換ユニット２から上扉３０を取り外せば、いわゆる新台入れ替えの際、上扉３０はそのまま交換せずに、交換ユニット２だけを交換することができる。このように、交換ユニット２だけの取り付けや、取り外しも可能となるように形成されている。
【００５８】
上記扉一体型交換ユニット８の交換ユニット２は、固定装置１０を介して本体キャビネット１に着脱自在に取り付けられているものである。この固定装置１０は、交換ユニット２の枠２１の左右両端に鉤状に形成されたフック３４と、本体キャビネット１の左右内面に固定されて、前記フック３４を引っかけて固定可能なクリップ３５とからなる着脱が容易なものである。
【００５９】
上記扉一体型交換ユニット８の交換ユニット２は、リールユニット２０及び基板ユニット２４を装着するための四角枠状の部材を組み合わせた枠２１と、この枠２１の上部に位置してリールユニット２０の上方を覆う上板７０と、枠２１の上部に位置して上方から手で握ることが可能な取っ手７１とを備えている。すなわち、リールユニット２０及び主制御装置２５は、これらを装着するための枠２１を介して、交換ユニット２に組み込まれているものである。また、扉一体型交換ユニット８の交換ユニット２は、その下部に固定されてガイド８０に沿って移動可能な移動体８１を備えている。具体的には、移動体８１は、扉一体型交換ユニット８の交換ユニット２の奥側左右の下部に回転可能な円板状の回転ローラーからなるものである。
【００６０】
前記扉一体型交換ユニット８の交換ユニット２は、前記枠２１の下部に固定されたリールユニット２２と、枠２１の上部奥側に固定された基板ユニット２４とを備えている。
ここで、リールユニット２２は、周囲に複数の図柄を表示した３個の回転リール２３と、特に図示しないが、それぞれの回転リール２３を回転させるための駆動モータを有している。また、前記基板ユニット２４は、回転リール２３の回転等を制御するための主制御装置２５が透明樹脂からなる四角箱状の基板ケース２６の内部に収納されているものである。
【００６１】
前記枠２１の正面左側の縦枠には、前記上扉３０を回転自在に係合するための枠体係合部６０が、上下方向に間隔をおいて二つ設けられている。
さらに、枠２１の正面右側の縦枠には、上扉３０を閉めた際、上扉３０をロックするための突出片６９（図４及び図８）が、上下方向に間隔をおいて二つ設けられている。このように、枠２１の左側の枠体係合部６０と、枠２１の右側の突出片６９とにより、上扉３０が枠２１に回動可能に固定され、両者を一体のものにすることができる。
【００６２】
また、前記枠２１の正面下端の横枠には、下方に向かって折れ曲がって、下方に向かって突出した状態の折れ曲がり片９５（図８）が形成されている。この折れ曲がり片９５の裏面は、中板１２の立ち上がり片９４（図３）の前面と当接することにより、扉一体型交換ユニット８の前後方向の位置決めが決定される。
前記交換ユニット２の枠２１は、その奥側上部から上方に向かって突出して、本体キャビネット１の上部係止片５２に係止可能な下部係止片５３を備えている。そして、下部係止片５３は、その縦断面形状が図５に示すように表裏逆の略Ｌ字状であって、そのＬ字状の先端が前面側に向かって延びるような配置に形成されている。
【００６３】
（接続部２７）
上記接続部２７は、上述したように、交換ユニット２と本体キャビネット１との間の電気的接続をするために、本体キャビネット１に予め一端が接続された接続コード８３の他端を接続するためのものである。具体的には、接続部２７は、主制御装置２５の前面側に、その差し込み口が前面側を向くように配置している。すなわち、接続部２７を、交換ユニット２の前面側に向かって臨むように配置しているものである。このため、交換作業者は、扉一体型交換ユニット８或いは交換ユニット２を手前側に一部引き出した途中の状態で、接続コード８３の交換側接続端子８５を交換ユニット２の上部から差し込んだ手で掴んで、その交換側接続端子８５を基板ユニット２４の前面側から後方に向かって移動させて差し込むことができる。これにより、交換作業者は、基板ユニット２４の前面側に設けた接続部２７を、手許で間近に見ながら、作業をすることができて、交換作業における接続コード８３の結線作業を容易なものにすることができる。
【００６４】
なお、特に図示していないが、かかる接続部２７から主制御装置２５や、リールユニット２０内部の部品へ、制御信号や、供給電力が供給されるように交換ユニット２内部で予め配線されている。したがって、交換作業者は、交換ユニット２の交換作業において、交換ユニット２の接続部２７と、本体キャビネット１の本体側接続部８２との間を、接続コード８３により、連結することにより、遊技機Ｓ内部の電気的接続は完了するように設定されている。
【００６５】
（上板７０）
上記上板７０は、枠２１の上部に設けられて、リールユニット２０の上方を覆っているものである。具体的には、上板７０は、枠２１の高さ方向途中の横方向に渡されるように枠２１に固定されているものである。この上板７０は、リールユニット２０の上方を覆うような位置に固定されているものである。この上板７０は、その側端及び後ろ側の端部において、複数個のねじ及びボルトからなる締結部材により、枠２１にしっかりと固定されているものである。なお、この上板７０は、金属性の板状の板状部材からなり、交換ユニット２の全体の重量が加わっても変形しないような強度を有している。そして、この上板７０の上面には、折りたたみ可能な取っ手７１が形成されている。
【００６６】
（取っ手７１）
上記取っ手７１は、枠２１の上部に設けられて、交換ユニット２の交換作業者が上方から或いは前方から手を差し込んで握ることが可能なものである。具体的には、取っ手７１は、上板７０の上面の前後方向の略中央付近に、左右の横方向に把持可能な棒状のものが形成されているものである。さらに、具体的には、取っ手７１は、図９に示すように、交換作業者が作業中に、上方から或いは前方から差し込んだ手で握るための取っ手本体部７２と、この取っ手本体部７２の両端を上板７０に連結する連結部７３とを備えている。
【００６７】
前記取っ手本体部７２は、手で掴むことが可能な円柱棒状であって、横方向に渡された金属性からなる握り棒７６と、この握り棒７６の左右両端を左右の連結部７３にそれぞれ繋げるための金属性からなる短尺板状の支持片７７とを備えている。すなわち、１本の握り棒７６と、その両端から延びる２本の支持片７７とにより、取っ手本体部７２は、その全体形状が略コ字状に形成されている。
【００６８】
前記連結部７３は、取っ手本体部７２を連結部７３の回りに回動可能な回動手段７４を備えている。前記連結部７３は、２枚の短尺片の間に、支持片７７が回動可能に挟み込まれている構造を有している。そして、前記回動手段７４は、連結部７３及び支持片７７を同一中心軸により貫通するピン孔７８と、このピン孔７８に差し込まれた回動ピン７５とから形成されているものである。取っ手本体部７２の支持片７７は、このピン７５を回転の中心軸として、前後方向に１８０度、回動可能となるように形成されている。
【００６９】
なお、回動手段７４は、取っ手本体部７２を手前側若しくは奥側のいずれか一方側に向かって、回転させるような力を加えることが可能なバネ等の弾性付与部材を備えても良いものである。すなわち、渦巻きバネや、コイル等の弾性付与部材を使用して、常時、取っ手本体部７２を手前側或いは奥側に向かって回転する方向に力を加えるものである。これにより、交換ユニット２を持ち上げるときは、取っ手本体部７２を手で掴んで天板１７から鉛直方向に立設させることができ、一方、取っ手本体部７２を手で持たないときは、弾性付与部材の弾性復元力により、取っ手本体部７２を上板７０の上面に沿って自動的に倒すことができて、取っ手７１を自動的に折りたたむことができる。したがって、交換ユニット２の上方での電気接続コードの結線作業等において、作業者が作業に邪魔な取っ手７１を折りたたむという工程を省くことができる。
【００７０】
（上扉３０）
上記上扉３０は、扉一体型交換ユニット８を構成する部品の一つであり、交換ユニット２の枠２１に回転自在かつロック可能に形成されている板状の扉である。そして、上扉３０は、略中央部に前記回転リール２３の図柄を正面側から見ることができる図柄表示窓３１を有し、周囲に飾り部３３が設けられ、種々の表示を行うための表示装置３２が設けられているものである。
【００７１】
ここで、前記飾り部３３は、他のランプ等により形成しても良く、入賞の報知その他の演出時にランプが点滅するように形成してもよい。また、前記表示装置３２は、７セグメントＬＥＤ等により数字を表示するものや、特に図示しないが、画像を表示するための液晶表示装置やＣＲＴなどとしてもよいものである。
さらに、図４に示すように、上扉３０の左側の裏面には、前記枠体係合部６０に係合可能な上扉係合部６１が上下方向に間隔をおいて二つ設けられている。そして、上扉３０の右側の裏面には、扉ロック機構７が設けられている。そして、上扉３０の裏面上部の左右には、種々の音声を出力するためのスピーカ４９が設けられている。
【００７２】
（下扉４０）
上記下扉４０は、本体キャビネット１の開口下部１４を塞ぐための、上扉３０よりも幅厚の扉であり、本体キャビネット１の側板１６に回転自在かつロック可能に形成されているものである。
前記下扉４０の上部は、遊技機Ｓを作動させるための操作部４１となっており、下扉４０の上面は、閉扉時においては、上扉３０よりも前側に突出するようになっている。また、下部には払い出されたメダルを溜めておくための箱状のメダル受け４３が形成されており、下扉４０の略中央部には、遊技内容その他の案内表示をするための前パネル５０が嵌め込まれている。
【００７３】
前記操作部４１としては、下扉４０の上面右端にはメダル投入口４２と、上面左側に設けられたベットスイッチと、正面側にはレバー式のスタートスイッチと、ボタン式のストップスイッチと、鍵穴４４とが設けられている。なお、ベットスイッチとは、貯留メダルをメダル投入に代えるためのものであり、スタートスイッチ及びストップスイッチは、回転リール２３の回転を開始及び停止させるためのものである。また、鍵穴４４は、前扉３を解錠するためのものであり、この穴に所定の鍵を差し込んで回すと、下扉４０の扉ロック機構７のロックが解除されるものである。
【００７４】
さらに、図４に示すように、下扉４０の裏面側には、前記メダル投入口４２から投入された遊技メダルを誘導しながら遊技メダルの正偽を判断するためのメダルセレクター４８が設けられている。
また、下扉４０の左側の裏面には、前記本体係合部６２と係合可能な下扉係合部６３が上下方向に間隔をおいて二つ設けられている。そして、下扉４０の右側の裏面には、本体キャビネット１の突出片６９にロック可能なアンカー状のものを有する扉ロック機構７が設けられている。
【００７５】
（作用及び効果）
本実施の形態に係る遊技機Ｓは、扉一体型交換ユニット８や交換ユニット２の交換作業において、本体キャビネット１の係止部５１の上部係止片５２が、正面開口部１１から交換ユニット２の収納位置までの途中の位置で、交換ユニット２の奥側上部の下部係止片５３を係止する。これにより、扉一体型交換ユニット８や交換ユニット２を本体キャビネット１の正面開口部１１から手前側に一部引き出した途中の状態で一時的に保持することができる。そして、扉一体型交換ユニット８や交換ユニット２は、かかる途中の位置において、上部係止片５２及び下部係止片５３により、安定して支持され、正面開口部１１の手前側に向かって倒れ落ちることがない。これにより、交換作業者は、作業の途中で、安心して手を扉一体型交換ユニット８や交換ユニット２から外し、ゆっくりと手の掴み位置を持ち替えることができる。したがって、扉一体型交換ユニット８や交換ユニット２の交換作業を容易なものにすることができる。
【００７６】
本実施の形態に係る遊技機Ｓは、本体キャビネット１から延びる接続コード８３を接続するための接続部２７が交換ユニット２の上部奥側の基板ユニット２４に設けてある。しかし、交換ユニット２を係止部５１に係止させて、手前側に一部引き出した状態で保持することにより、交換ユニット２の上部奥側の接続部２７への接続作業を、交換作業者の手許で確実に且つ簡単に行うことができる。これにより、交換ユニット２や扉一体型交換ユニット８の交換作業において、いわゆるハーネスと呼ばれる電気的接続コードの結線作業を容易なものにすることができる。
【００７７】
一方、接続コード８３による電気的接続作業が終了した後、交換ユニット２を本体キャビネット１の奥側の本来の収納位置に配置することにより、交換ユニット２の上部奥側に設けた接続部２７を、本体キャビネット１の奥側に配置することができる。これにより、接続部２７を正面開口部１１から後ろ側に離して配置することができ、前面側からのワイヤ等の異物混入によるゴト行為や、前面側からの強力な電磁波による、いわゆる電波ゴト等の影響を回避することができる。
【００７８】
なお、本実施の形態では、交換ユニット２に上扉３０を装着した扉一体型交換ユニット８を形成し、かかる扉一体型交換ユニット８を交換して、遊技内容を変更しているが、かかる作用及び効果は、扉一体型交換ユニット８から上扉３０を取り外した交換ユニット２だけの交換作業においても、同様の作用及び効果を奏するものである。
【００７９】
本実施の形態に係る遊技機Ｓの扉一体型交換ユニット８は、交換作業の際、取っ手７１を手で握って持ち上げることができて、取り扱いに便利であり、扉一体型交換ユニット８や交換ユニット２の交換作業を容易なものにすることができる。
そして、扉一体型交換ユニット８や交換ユニット２の交換作業において、移動体８１及びガイド８０が形成されているため、スムーズに移動させることができる。
【００８０】
そして、本実施の形態に係る遊技機Ｓは、取っ手７１が枠２１の上部に形成されているため、上方から差し込んだ手で、容易に取っ手７１を掴むことができる。
そして、本実施の形態に係る遊技機Ｓは、取っ手７１の長手方向が左右方向となっているため、かかる取っ手７１を本体キャビネット１の上面側から握ると、取っ手７１を前後方向に引っ張り、或いは、押し込む場合、力の方向と、手で掴む取っ手７１の軸方向とが直交する関係となる。これは人の手の構造を考えても人間工学的に、掴みやすく持ちやすい方向であり、前後方向への移動を容易なものにする。
【００８１】
本実施の形態に係る遊技機Ｓは、取っ手本体部７２を連結部７３の回りに回動させることができる。これにより、取っ手７１を使用する場合は、取っ手本体部７２を上方に向かって立設させることにより、手で取っ手本体部７２をつかむのに便利である。そして、取っ手７１を使用しない場合には、取っ手本体部７２を横に倒して折りたたむことができる。これにより、取っ手７１の上方の空間を開けることができて、接続部２７の交換側接続端子８５を、基板ユニット２４の接続部２７へ接続する結線作業等の邪魔にならないようにすることができる。
【００８２】
本実施の形態に係る交換ユニット２は、枠２１の上部にリールユニット６０の上方を覆う面状の面状部材からなる上板７０を備えている。このため、リールユニット６０の上方から自重により落下してくる小さな埃が、リールユニット２０の内部に降り積もることを回避することができる。また、交換作業の際、リールユニット２０の上方で接続作業を行うような場合、接続作業における電気接続コード等の破片が、下方に落下して、リールユニット２０の内部に入りこむことを回避することができる。
【００８３】
さらに、上板７０がリールユニット２０の上方を覆っているため、交換作業の際や、また、通常使用時においても、何らかの契機により、電気接続コードが下方のリールユニット２０に向かって垂れ下がって、回転リール２３に絡むようなことを回避することができる。これにより、リールユニット２０の回転リール２３の回転動作の不良発生を抑えることができ、また、埃によるメインテナンスも頻繁にする必要が無く、維持管理を容易にすることができる。
【００８４】
（遊技機Ｓの交換手順）
以上のように構成されたスロットマシンからなる遊技機Ｓについて、遊技内容変更のための台交換は、以下のように行うことができる。
本実施の形態に係る遊技機Ｓは、上扉３０及び交換ユニット２からなる扉一体型交換ユニット８を取り替えることができる。すなわち、下扉４０を開けてから上扉３０の扉ロック機構７のロックを解除して、上扉３０を開く、そして、本体キャビネット１の左右内部のクリップ３５をフック３４から外して固定装置１０のロックを解除する。そして、開いていた上扉３０を再度、本体キャビネット１の開口上部１３側に向かって閉じる。これにより、扉ロック機構７が作動して上扉３０は交換ユニット２の手前側に固定される。これにより、上扉３０及び交換ユニット２が一体となった扉一体型交換ユニット８を本体キャビネット１から取り外すことが可能となる。
【００８５】
そして、その状態から交換作業者は上扉３０の手前側の正面部、側部或いは上部等を持って、扉一体型交換ユニット８を手前側に僅かに移動させる。そして、移動体８１も、扉一体型交換ユニット８の移動にともなって手前側に移動する。そして、扉一体型交換ユニット８の一部を手前側へ引き出した状態で、扉一体型交換ユニット８の手前側を、中板１２の手前側の前端縁を支点として手前下方に傾ける。そして、扉一体型交換ユニット８を手前下方に傾けた状態のままで、手前側に向かって引っ張ると、扉一体型交換ユニット８の下部係止片５３が、本体キャビネット１の係止部５１の上部係止片５２の内部に入り込んで、下部係止片５３及び上部係止片５２が係止状態となる。これにより、交換作業者が扉一体型交換ユニット８を支持している手を外しても、かかる状態において扉一体型交換ユニット８は手前側に向かって倒れることなく、安定した状態で停止している状態にすることができる。そして、その安定した状態のままで、交換作業者は、扉一体型交換ユニット８の上方から手を差し込んで、接続コード８３の交換側接続端子８５を、基板ユニット２４の接続部２７から引き抜く。そして、交換作業者は、図２に示すように、扉一体型交換ユニット８の上方から手を差し込んで、片方の手で取っ手７１を掴んで、扉一体型交換ユニット８をガイド８０と平行状態に戻して、上部係止片５２及び下部係止片５３の係止状態を解除した後、扉一体型交換ユニット８を手前方向にガイド８０に沿って引っ張る。これにより、扉一体型交換ユニット８を本体キャビネット１の開口上部１３から取り外すことができる。
【００８６】
そして、新たな扉一体型交換ユニット８を、上述した手順と逆に行うことにより、扉一体型交換ユニット８を本体キャビネット１内部に装着することができる。具体的には、新たな扉一体型交換ユニット８を、略水平状態にして本体キャビネット１の正面開口部１１から差し込んで、奥側に向かって押し込む。そして、扉一体型交換ユニット８の下部係止片５３が係止部５１の上部係止片５２を通り過ぎた後、扉一体型交換ユニット８の手前側を下方に向かって傾ける。これにより、扉一体型交換ユニット８は、中板１２の前端縁を支点として、扉一体型交換ユニット８の奥側上部の下部係止片５３が上方に向かって移動する。そして、かかる傾いた状態のまま、扉一体型交換ユニット８を僅かに手前側に向かって引っ張ると、下部係止片５３が上部係止片５２の間に入り込んで、両者は係止状態となる。かかる状態において、交換作業者が、扉一体型交換ユニット８を支持している手を外しても、扉一体型交換ユニット８は手前側に向かって倒れることもなく、交換途中の安定した状態で停止した状態となる。そして、その斜めに傾いて安定した停止状態のままで、交換作業者は、自由になった両手を使って扉一体型交換ユニット８の上方から手を差し込んで、交換作業者の手許で接続コード８３の交換側接続端子８５を、基板ユニット２４の接続コード８３へ差し込むことができ、安全、確実且つ容易に接続作業を行うことができる。これにより、交換作業における電気的な結線作業が終了する。そして、交換作業者は、扉一体型交換ユニット８を略水平状態に戻して、そのまま本体キャビネット１の奥側に向かって押し込むことにより、扉一体型交換ユニット８の折れ曲がり片９５が、中板１２の立ち上がり片９４に当接して、予め予定された収納位置に納まることとなる。そして、上扉３０の扉ロック機構７のロックを解除して、上扉３０を開き、本体キャビネット１の左右内部のクリップ３５をフック３４に引っかけて固定装置１０をロック状態とする。そして、開いていた上扉３０を再度、本体キャビネット１の開口上部１３側に向かって閉じる。これにより、扉ロック機構７が作動して上扉３０は交換ユニット２の手前側に固定される。これにより、新たな扉一体型交換ユニット８の本体キャビネット１への取り付け作業が終了する。
【００８７】
なお、上述した扉一体型交換ユニット８の交換作業中、上部係止片５２及び下部係止片５３の係止状態を解除して、扉一体型交換ユニット８をガイド８０と平行状態にした場合、ガイド８０が奥側に向かって下り傾斜に形成されているため、扉一体型交換ユニット８は、下り傾斜のガイド８０に沿って自重により奥側に移動する。このため、扉一体型交換ユニット８が手前側に移動して扉一体型交換ユニット８が手前側に向かって倒れて落下するようなことはない。
【００８８】
（第二の実施の形態）
図１０は、本発明の第二の実施の形態であって、交換ユニットを本体キャビネットの正面開口部から手前側に一部引き出した途中の状態で一時的に保持している状態の外観側面図を示すものである。
本実施の形態では、基板ユニット２４を交換ユニット２の内部において、鉛直方向に立設させずに、水平横方向に倒した状態で配置しているものである。そして、基板ユニット２４の接続部２７を、交換ユニット２の上面側に向かって臨むように配置していることに特徴を有すものである。すなわち、接続コード８３の交換側接続端子８５の差し込み口である接続部２７が、水平横方向に倒した基板ユニット２４の上面側に形成されて、接続部２７が交換ユニット２の上面側に向かって臨むように配置されているものである。
【００８９】
本実施の形態は、接続部２７を、交換ユニット２の上面側に向かって臨むように配置している。このため、交換作業者は、交換ユニット２を手前側に一部引き出した途中の状態で、接続コードの他端を上面側から差し込むことができる。これにより、交換作業者は、上方に臨む接続部２７を手許で間近に見ながら、接続作業をすることができて、交換作業における接続コード８３の結線作業を容易なものにすることができる。
【００９０】
上述した第一及び第二の実施の形態では、接続コード８３の本体側接続端子８４を本体側接続部８２に予め接続してあり、現場の遊技ホールでの交換作業では、接続コード８３の交換側接続端子８５を接続部２７に接続していたが、特にこの手順に限定するものではなく、予め接続コード８３の交換側接続端子８５を接続部２７に接続し、現場の遊技ホールでの交換作業で、接続コード８３の本体側接続端子８４を本体側接続部８２に接続するような作業としても良いものである。かかる場合でも、交換ユニット２を手前側に引き出した状態で安定して保持することができるため、交換ユニット２と本体キャビネット１との間に隙間空間を形成した状態で維持することができ、結線作業を良好なものにすることができる。
【００９１】
【発明の効果】
本発明は、以上のように構成されているので、以下に記載されるような効果を奏する。
（請求項１）
請求項１記載の発明によれば、次のような効果を奏する。
【００９２】
すなわち、請求項１記載の発明によれば、交換作業の途中で、安心して手を交換ユニットから外し、ゆっくりと手の掴み位置を持ち替えることができて、交換ユニットの交換作業を容易なものにすることができるようにした遊技機を提供することができる。
（請求項２）
請求項２記載の発明によれば、上記した請求項１記載の発明の効果に加え、次のような効果を奏する。
【００９３】
すなわち、請求項２記載の発明によれば、交換ユニットの交換作業において、電気的接続コードの結線作業を容易なものにすることができるようにした遊技機を提供することができる。
（請求項３）
請求項３記載の発明によれば、上記した請求項１又は請求項２記載の発明の効果に加え、次のような効果を奏する。
【００９４】
すなわち、請求項３記載の発明によれば、交換ユニットを傾かせることにより、交換ユニットと係止部との間を係止状態にすることができるようにした遊技機を提供することができる。
（請求項４）
請求項４記載の発明によれば、上記した請求項１乃至３のいずれか１項に記載の発明の効果に加え、次のような効果を奏する。
【００９５】
すなわち、請求項４記載の発明によれば、上部係止片と下部係止片とが係止することにより、交換ユニットの奥側上端が手前側に向かって移動するのを阻止することができて、両者が係止状態となるようにした遊技機を提供することができる。
（請求項５）
請求項５記載の発明によれば、上記した請求項２乃至４のいずれか１項に記載の発明の効果に加え、次のような効果を奏する。
【００９６】
すなわち、請求項５記載の発明によれば、接続コードの他端を前面側から差し込むことができて、結線作業を容易なものにすることができるようにした遊技機を提供することができる。
（請求項６）
請求項６記載の発明によれば、上記した請求項２乃至４のいずれか１項に記載の発明の効果に加え、次のような効果を奏する。
【００９７】
すなわち、請求項６記載の発明によれば、接続コードの他端を上面側から差し込むことができて、結線作業を容易なものにすることができるようにした遊技機を提供することができる。
（請求項７）
請求項７記載の発明によれば、上記した請求項１乃至６のいずれか１項に記載の発明の効果に加え、次のような効果を奏する。
【００９８】
すなわち、請求項７記載の発明によれば、扉一体型交換ユニットの交換作業を容易なものにすることができるようにした遊技機を提供することができる。
【図面の簡単な説明】
【図１】本発明の第一の実施の形態であって、交換ユニットを本体キャビネットの正面開口部から手前側に一部引き出した途中の状態で一時的に保持している状態を示す外観側面図である。
【図２】本発明の第一の実施の形態であって、交換作業者が取っ手を手で掴んでいる状態を示す外観側面図である。
【図３】本発明の第一の実施の形態であって、遊技機を示す分解斜視図である。
【図４】本発明の第一の実施の形態であって、遊技機を示す分解斜視図である。
【図５】本発明の第一の実施の形態であって、係止部の上部係止片に交換ユニットの下部係止片が係止している状態を示す外観側面図である。
【図６】本発明の第一の実施の形態であって、係止部の上部係止片に交換ユニットの下部係止片が係止している状態を示す外観斜視図である。
【図７】本発明の第一の実施の形態であって、遊技機を示す外観側面図である。
【図８】本発明の第一の実施の形態であって、交換ユニットを示す外観斜視図である。
【図９】本発明の第一の実施の形態であって、取っ手を示す外観斜視図である。
【図１０】本発明の第二の実施の形態であって、交換ユニットを本体キャビネットの正面開口部から手前側に一部引き出した途中の状態で一時的に保持している状態を示す外観側面図である。
【符号の説明】
Ｓ    遊技機                                          １  本体キャビネット
２    交換ユニット                                    ３  扉
４    電源装置                                            ５  払い出し装置
７    扉ロック機構                                    ８  扉一体型交換ユニット
１０  固定装置                        １１  正面開口部
１２  中板                            １３  開口上部
１４  開口下部                        １５  底板
１６  側板                            １７  天板
１８  裏板                            ２０  リールユニット
２１  枠                              ２３  回転リール
２４  基板ユニット                    ２５  主制御装置
２６  基板ケース                      ２７  接続部
３０  上扉                            ３１  表示窓
３２  表示装置                        ３３  飾り部
３４  フック                          ３５  クリップ
４０  下扉                            ４１  操作部
４２  メダル投入口                    ４３  メダル受け
４４  鍵穴                            ４８  メダルセレクター
４９  スピーカー                      ５０  前パネル
５１  係止部                          ５２  上部係止片
５３  下部係止片                      ６０  枠体係合部
６１  上扉係合部                      ６２  本体係合部
６３  下扉係合部                      ６９  突出片
７０  上板                            ７１  取っ手
７２  取っ手本体部                    ７３  連結部
７４  回動手段                        ７５  回動ピン
７６  握り棒                          ７７  支持片
７８  ピン孔                          ８０  ガイド
８１  移動体                          ８２  本体側接続部
８３  接続コード                      ８４  本体側接続端子
８５  交換側接続端子                  ９４  立ち上がり片
９５  折れ曲がり片
【図１】
2004254908.tif 000003
【図２】
2004254908.tif 000004
【図３】
2004254908.tif 000005
【図４】
2004254908.tif 000006
【図５】
2004254908.tif 000007
【図６】
2004254908.tif 000008
【図７】
2004254908.tif 000009
【図８】
2004254908.tif 000010
【図９】
2004254908.tif 000011
【図１０】
2004254908.tif 000012